(57)【要約】【課題】記録紙搬送装置、画像形成装置で、トナー像が掻き落とされる現象、トナー付着、堆積、両面搬送経路の引っ掛りの問題を簡単な構造で抑制して紙詰まりを防止する。【解決手段】定着手段７０で画像を定着させた後、記録紙Ｐの先端が搬送補助部材８３に当接して排紙方向に移動して記録紙Ｐに摺接し、それにより記録紙Ｐと共に連れ回りする。搬送補助部材８３は、その外表面が分岐部材８４における上下両側の搬送面よりも突出するように設ける。そのため、定着手段７０から送られてきた記録紙Ｐは、分岐部材８４において搬送補助部材８３と接触する。そして記録紙Ｐの後端が搬送補助部材８３から離れると、搬送補助部材８３はその自重により待機位置に戻る。【選択図】図３
2008273692.tif 000002
【特許請求の範囲】
【請求項１】
排出された記録紙を排紙方向あるいは該排紙方向とは逆方向へ搬送する記録紙搬送手段と、
記録紙搬送路に設けられて記録紙の搬送方向を排紙方向あるいは排紙方向と逆方向へ切り換える分岐部材の記録紙摺接部分に記録紙の搬送を円滑にする搬送補助部材を設け、
前記搬送補助部材を排紙方向に移動可能としてなることを特徴とする記録紙搬送装置。
【請求項２】
請求項１の記録紙搬送装置において、前記搬送補助部材が、記録紙に摺接して回転する回転部材からなることを特徴とする記録紙搬送装置。
【請求項３】
請求項１または２の記録紙搬送装置において、前記搬送補助部材を、記録紙に当接して排紙方向に移動可能としてなることを特徴とする記録紙搬送装置。
【請求項４】
請求項１または２の記録紙搬送装置において、前記搬送補助部材が、記録紙の搬送状態を検知するためのフィラー式の記録紙検知手段に連動し、排紙方向に移動可能としてなることを特徴とする記録紙搬送装置。
【請求項５】
請求項１から４のいずれかの記録紙搬送装置において、前記搬送補助部材を弾性材料から形成してなることを特徴とする記録紙搬送装置。
【請求項６】
請求項１から５のいずれかの記録紙搬送装置において、前記搬送補助部材は、トナーに対する分離性の優れた材料から形成してなることを特徴とする記録紙搬送装置。
【請求項７】
請求項１から６のいずれかの記録紙搬送装置において、前記搬送補助部材を複数備えてなることを特徴とする記録紙搬送装置。
【請求項８】
請求項１から７のいずれかの記録紙搬送装置において、前記搬送補助部材を、画像形成装置の定着部と記録紙排出部の間に配してなることを特徴とする記録紙搬送装置。
【請求項９】
請求項１から８のいずれかの記録紙搬送装置において、前記搬送補助部材を前記分岐部材に有することを特徴とする記録紙搬送装置。
【請求項１０】
請求項１から９のいずれかの記録紙搬送装置を備えるとともに、記録紙に転写されたトナー像を加熱、加圧して定着させる定着部を有することを特徴とする画像形成装置。
【請求項１１】
請求項１０の画像形成装置において、前記搬送補助部材を前記記録紙搬送路の反画像面側に有することを特徴とする画像形成装置。
【発明の詳細な説明】
【技術分野】
【０００１】
本発明は、記録媒体上に画像を形成する画像形成装置とこれに用い得る記録紙搬送装置に関する。
【背景技術】
【０００２】
画像形成装置が備える通紙搬送装置としては、例えば図１に示すような排出手段８０近傍の構造を持つものがある。図中７０は定着手段、８４は分岐部材、８５はフィラー式の記録紙検知手段である。図示の例は、切り替え分岐点８１の曲率がきついため、腰の強い記録紙Ｐを通紙した際に記録紙Ｐが分岐部材８４に強く摺接することにより、トナー像が掻き落とされる現象、トナー付着、堆積等の問題が発生する。そしてこれが原因して、紙詰まり（ＪＡＭ）になるという問題がある。
【０００３】
また、両面記録を行う場合には、第一面の画像形成が終了した記録紙Ｐの後端が切り替え分岐点８１を通過した時点で反転手段である排出手段８０の搬送方向を反転させ、記録紙Ｐの先端と後端を入れ替えて両面搬送経路８２へと搬送する際に、搬送補助部材８３が固定されていると記録紙Ｐが搬送補助部材８３に引っ掛りＪＡＭになるという問題がある。
【０００４】
【特許文献１】特開２００４−０７５３０５号公報
【特許文献２】特開平０３−２７９１５５号公報
【特許文献３】特開平０５−０９７３０５号公報
【特許文献４】特開２００３−２５２５０８号公報
【発明の開示】
【発明が解決しようとする課題】
【０００５】
本発明はこのような従来の問題点にかんがみ、分岐部材との記録紙の摺接を円滑とし、トナー像が掻き落とされる現象、トナー付着、堆積、両面搬送経路の引っ掛りの問題を抑制して紙詰まりを防止できる記録紙搬送装置、画像形成装置を提供することを目的とする。
【課題を解決するための手段】
【０００６】
本発明の請求項１に係る記録紙搬送装置は、排出された記録紙を排紙方向あるいは該排紙方向とは逆方向へ搬送する記録紙搬送手段と、記録紙搬送路に設けられて記録紙の搬送方向を排紙方向あるいは排紙方向と逆方向へ切り換える分岐部材の記録紙摺接部分に記録紙の搬送を円滑にする搬送補助部材を設け、前記搬送補助部材を排紙方向に移動可能としてなることを特徴とする。
【０００７】
同請求項２に係るものは、請求項１の記録紙搬送装置において、前記搬送補助部材が、記録紙に摺接して回転する回転部材からなることを特徴とする。
【０００８】
同請求項３に係るものは、請求項１または２の記録紙搬送装置において、前記搬送補助部材を、記録紙に当接して排紙方向に移動可能としてなることを特徴とする。
【０００９】
同請求項４に係るものは、請求項１または２の記録紙搬送装置において、前記搬送補助部材が、記録紙の搬送状態を検知するためのフィラー式の記録紙検知手段に連動し、排紙方向に移動可能としてなることを特徴とする。
【００１０】
同請求項５に係るものは、請求項１から４のいずれかの記録紙搬送装置において、前記搬送補助部材を弾性材料から形成してなることを特徴とする。
【００１１】
同請求項６に係るものは、請求項１から５のいずれかの記録紙搬送装置において、前記搬送補助部材は、トナーに対する分離性の優れた材料から形成してなることを特徴とする。
【００１２】
同請求項７に係るものは、請求項１から６のいずれかの記録紙搬送装置において、前記搬送補助部材を複数備えてなることを特徴とする。
【００１３】
同請求項８に係るものは、請求項１から７のいずれかの記録紙搬送装置において、前記搬送補助部材を、画像形成装置の定着部と記録紙排出部の間に配してなることを特徴とする。
【００１４】
同請求項９に係るものは、請求項１から８のいずれかの記録紙搬送装置において、前記搬送補助部材を前記分岐部材に有することを特徴とする。
【００１５】
同請求項１０に係る画像形成装置は、請求項１から９のいずれかの記録紙搬送装置を備えるとともに、記録紙に転写されたトナー像を加熱、加圧して定着させる定着部を有することを特徴とする。
【００１６】
同請求項１１に係るものは、請求項１０の画像形成装置において、前記搬送補助部材を前記記録紙搬送路の反画像面側に有することを特徴とする。
【発明の効果】
【００１７】
本発明は、記録紙搬送装置、画像形成装置において、トナー像が掻き落とされる現象、トナー付着、堆積、両面搬送経路の引っ掛りの問題を簡単な構造で抑制して紙詰まりを防止できるという効果がある。
【発明を実施するための最良の形態】
【００１８】
以下本発明を実施するための最良の形態を、図に示す実施例を参照して説明する。
【実施例１】
【００１９】
図２は、像担持体の周上に１つの現像装置を備えた作像部を４つ並設して構成したカラー画像形成装置の概略を示す断面図であり、画像形成装置本体に現像装置及び像担持体ユニットを装着した状態を示す。
【００２０】
図２に基づいて、このカラー画像形成装置の主要部を説明する。
このカラー画像形成装置の略中央には４つの作像部が配置され、そのすぐ下方に給紙部４が配置されている。作像部の上方は、排紙収納部５が形成され、画像形成された記録紙Ｐが排紙収納される。
【００２１】
給紙部４には、未使用の記録紙Ｐが収容される積載ユニット４１が設けてあり、積載ユニット４１は給紙コロ４２、記録紙有無検知手段４５等を装置本体に残して、図１における右方向に着脱自在に配置してある。この給紙部４において、記録紙Ｐは給紙コロ４２とフリクションパッド４３により１枚ずつ分離され、レジストローラ６０へと搬送され、用紙の先端がレジストローラ６０に突き当たり、先端整合を行う。レジストローラ６０は用紙の搬送を一時止め、中間転写ベルト２８のトナー像と用紙の先端との位置関係が所定の位置になるよう、タイミングをとって回転が開始するように制御する。
【００２２】
現像装置は、現像剤として夫々色の異なるトナーを収容した４つの現像器３１（３１ａ、３１ｂ、３１ｃ、３１ｄ）、これらの現像器と組み合わせて配置された像担持体ドラム２２（２２ａ、２２ｂ、２２ｃ、２２ｄ）がある。この像担持体ドラム２２の周りには１次転写後の残トナーを掻きとるクリーニングブレード２３（２３ａ、２３ｂ、２３ｃ、２３ｄ）、像担持体ドラム２２に当接する帯電ローラ２１（２１ａ、２１ｂ、２１ｃ、２１ｄ）が設けられている。
【００２３】
本実施例では、これらを一体とした像担持体ユニット２０（２０ａ、２０ｂ、２０ｃ、２０ｄ）を構成している。この像担持体ユニットのハウジングは、現像装置を内蔵することができる構成となっている。また当接する駆動ローラ２６、従動ローラ２７と１次転写ロ−ラ２９（２９ａ、２９ｂ、２９ｃ、２９ｄ）の周りに掛け渡されて循環移動する中間転写ベルト２８で構成された中間転写ユニットがある。
【００２４】
各現像器３１の現像ローラ３２の芯金にはここでは図示しないバイアス電源から交流と直流の重畳したマイナス電位のバイアス電圧が印加される。また各帯電ローラ２１には他のバイアス電源から直流のマイナス電位のバイアス電圧が印加される。上述の現像器３１と組み合う像担持体ドラム２２、この像担持体ドラム２２に当接するクリーニングブレード２３及び帯電ローラ２１によって画像形成部を形成し、２０ａは第一画像形成部、２０ｂは第二画像形成部、２０ｃは第三画像形成部、２０ｄは第四画像形成部というように、４個の画像形成部を持つ画像形成装置である。
【００２５】
クリーニングブレ−ド２３ａは、像担持体ドラム２２ａの周面に残留するトナー汚れを清掃する。帯電ローラ２１ａは清掃された像担持体ドラム２２ａの周面を一様な高電位に帯電させて初期化する。そして、この第１の画像形成部の像担持体ドラム２２ａにレーザビーム３６ａが照射する。なお第２の画像形成部の像担持体ドラム２２ｂにはレーザビーム３６ｂが照射する。これにより、上記一様な高電位に帯電している像担持体ドラム２２ａの周面が画像データに基づき選択的に露光され、この露光により電位の減衰した低電位部と上記初期化による高電位部とからなる静電潜像が形成される。この動作を第四形成部まで行う。
【００２６】
現像器３１ａは静電潜像の低電位部（又は高電位部）にトナーを転移させてトナー像を形成（現像）する。像担持体ドラム２２ａはトナー像を回転搬送して中間転写ベルト２８に転写する。
【００２７】
そして、この中間転写ベルト２８上のトナー像が像担持体ドラム２２ｂとの当接部に来るタイミングに合わせて、上記同様に第２の画像形成部が動作して、現像器２１ｃが像担持体ドラム２２ｂ上の静電潜像をトナー像化（現像）し、像担持体ドラム２２ｂがそのトナー像を回転搬送して中間転写ベルト２８上のトナー像に重ねて転写する。同様の動作を第四形成部まで行う。
【００２８】
上術のように四重のトナー像を搬送し、そのトナー像を２次転写ロ−ラ３９により図示しない記録紙Ｐに転写する。
【００２９】
その後、定着手段７０によって定着され、そして片面記録の場合には排出手段８０によって装置本体１上面に形成した排出収納部５に排出、積載する。
【００３０】
両面記録を行う場合には、第一面の画像形成が終了した記録紙Ｐの後端が切り替え分岐点８１を通過した時点で反転手段である排出手段８０の搬送方向を反転させ、記録紙Ｐの先端と後端を入れ替えて両面搬送経路８２へと搬送する。そして記録紙Ｐは積載ユニット４１に設けられた再給送路４４を通ってレジストローラ６０へと再び搬送され、第二面のトナー像を２次転写ロ−ラ３９により転写され、定着手段７０で定着された後に、排出手段８０により排出収納部５に排出される。
【００３１】
また本実施例では、図３（Ａ）、（Ｂ）に示すように、定着手段７０で画像を定着させた後、記録紙Ｐの先端が搬送補助部材８３に当接して排紙方向に移動して記録紙Ｐに摺接し、それにより記録紙Ｐと共に連れ回りする。また、搬送補助部材８３の外表面が分岐部材８４における上下両側の搬送面よりも突出するように設けられている。その結果、定着手段７０から送られてきた記録紙Ｐは、分岐部材８４において搬送補助部材８３と接触するようになる。記録紙Ｐの後端が搬送補助部材８３から離れると、搬送補助部材８３はその自重により図３（Ａ）の待機位置に戻る。
【実施例２】
【００３２】
図４（Ａ）、（Ｂ）に本発明の第２の実施例を示す。本実施例では、定着手段７０で定着された後に、記録紙Ｐの先端が記録紙Ｐの搬送状態を検知するためのフィラー式の記録紙検知手段８５を持ち上げる動作に連動し、搬送補助部材８３を排紙方向に移動させ、記録紙Ｐに摺接して、記録紙Ｐと共に連れ回りするようにしてある。また、搬送補助部材８３の外表面が分岐部材８４における上下両側の搬送面よりも突出するように設けられている。その結果、定着手段７０から送られてきた記録紙Ｐは、分岐部材８４において搬送補助部材８３と接触するようになる。そして記録紙Ｐの後端が搬送補助部材８３から離れると、搬送補助部材８３はその自重により図４（Ａ）の待機位置に戻る。
【実施例３】
【００３３】
図示は省略するが、搬送補助部材としてはローラだけでなく、コロや拍車等も使用することができる。また、フッ素系樹脂あるいはフッ素系コーティングなどが施された、トナーに対して離型性に優れた材料を使用することができる。さらに搬送補助部材を複数個使用して装置を構成することもできる。
【図面の簡単な説明】
【００３４】
【図１】画像形成装置が備える通紙搬送装置の従来の一例を示す概略断面図
【図２】本発明の実施対象となる画像形成装置の一例の概略断面図である。
【図３】本発明に係る記録紙搬送装置、画像形成装置が備える通紙搬送装置の第１の実施例を示す概略断面図
【図４】本発明に係る記録紙搬送装置、画像形成装置が備える通紙搬送装置の第２の実施例を示す概略断面図
【符号の説明】
【００３５】
１：装置本体
４：給紙部
５：排紙収納部
２０ａ：第一画像形成部
２０ｂ：第二画像形成部
２０ｃ：第三画像形成部
２０ｄ：第四画像形成部
２１：帯電ローラ
２２：像担持体ドラム
２３：クリーニングブレード
２６：駆動ローラ
２７：従動ローラ
２８：中間転写ベルト
２９：１次転写ロ−ラ
３１：現像器
３２：現像ローラ
３６ａ、３６ｂ：レーザビーム
３９：２次転写ロ−ラ
４１：積載ユニット
４２：給紙コロ
４３：フリクションパッド
４４：再給送路
４５：記録紙有無検知手段
６０：レジストローラ
７０：定着手段
８０：排出手段
８１：切り替え分岐点
８２：両面搬送経路
８３：搬送補助部材
８４：分岐部材
８５：フィラー式の記録紙検知手段
Ｐ：記録紙
【図１】
2008273692.tif 000003
【図２】
2008273692.tif 000004
【図３】
2008273692.tif 000005
【図４】
2008273692.tif 000006